(57)【要約】      （修正有）【課題】カメラと透光パネル内に小型フラッシュが付いた撮影装置を、透光性材料等で覆う後付ケースに於いて、フラッシュの光が撮影装置の透光パネルに拡散し該後付ケースを透過してレンズ部分に映り込むことを防ぐフラッシュ光の拡散防止用粘着付シールを提供する。【解決手段】フラッシュ部分の周りに遮光材料からなるシールを貼る。【選択図】図１
0003163975.tif 000002
【実用新案登録請求の範囲】
【請求項１】
カメラとフラッシュを備える小型撮影装置のフラッシュ発光部に対して同等の大きさの開口部を設け開口部端部から１０ミリ以内の部分を遮光材料や遮光塗料、遮光印刷などで遮光した事を特徴とするフラッシュ発光部周辺に貼り付けるフラッシュ光の拡散防止用粘着材付シール。
【請求項２】
カメラとフラッシュを備える小型撮影装置のカメラ部とフラッシュ部が近接している場合、フラッシュ発光部に対する開口部とカメラに対する開口部を１枚のシール上に配置した事を特徴とする請求項１記載のフラッシュ発光部周辺に貼り付けるフラッシュ光の拡散防止用粘着材付シール。
【請求項３】
カメラとフラッシュを備える小型撮影装置のカメラとフラッシュが配置される面全体をシールで覆いカメラ部とフラッシュ部は開口処理を行い、フラッシュ発光部周辺に請求項１の遮光処理を施した事を特徴とするフラッシュ光の拡散防止用粘着材付シール。
【請求項４】
カメラとフラッシュを備える小型撮影装置をカバーする後付ケースのカメラとフラッシュに対する開口部の形状を覆う外形をもつ請求項１記載のフラッシュ発光部周辺に貼り付けるフラッシュ光の拡散防止用粘着材付シール。
【考案の詳細な説明】
【技術分野】
【０００１】  本考案はカメラと透光パネル内に小型フラッシュが付いた撮影装置を透光材料から成るケースで覆う際に、フラッシュ光がケースに透過拡散することを防ぐフラッシュ光の拡散防止シールに関する物である。
【背景技術】
【０００２】  従来の技術思想では、小型フラッシュとカメラが付いた撮影装置を透光性ゴムや透光性プラスチック等で覆うケースの考案があったが、フラッシュ光の影響は考慮されていなかった。
【考案の概要】
【考案が解決しようとする課題】
【０００３】  本考案は、カメラと透光パネル内に小型フラッシュが付いた撮影装置を、保護や化粧目的の透光性ゴムや透光性プラスチック等で覆う後付ケースに於いて、フラッシュの光が撮影装置の透光パネルに拡散し該後付ケースを透過してレンズ部分に映り込み、撮影画像に悪影響を与えるという問題を解決することを課題とする。
【課題を解決するための手段】
【０００４】  本考案はカメラと透光パネル内に小型フラッシュが付いた撮影装置を透光性ゴムや透光性プラスチック等で覆う後付ケースに於いて、フラッシュの光が撮影装置の透光パネルに拡散し該後付ケースを透過してレンズ部分に映り込む事を防ぐ為に、フラッシュ部分の周りに遮光材料からなる粘着材付シールを貼ることで課題を解決する。
【考案の効果】
【０００５】  カメラと透光パネル内に小型フラッシュが付いた撮影装置の小型フラッシュ部分の周りに遮光材料からなる本考案の粘着材付シールを貼ることで、フラッシュ光が透光パネルに拡散して透光パネル自体が発光し透光性材料からなる後付ケースに到達し、該材料内部を伝わって後付ケースのカメラ開口部のケース端面が発光することを防ぐ効果がある。カメラ開口部のケース端面が発光するとカメラ部分の受光条件が変化し撮影画像に悪影響を及ぼす。本考案のフラッシュ光の拡散防止粘着材付シールにより該撮影装置に透光性材料からなる後付ケースを装着しても、安定したフラッシュ撮影が可能となる。
【図面の簡単な説明】
【０００６】
【図１】撮影装置とフラッシュ光の拡散防止粘着材付シールと透光性材料からなる後付ケースの構成を示す俯瞰図である。
【図２】撮影装置にフラッシュ光の拡散防止粘着材付シールを貼り付けた状態を示す俯瞰図である。
【図３】撮影装置にフラッシュ光の拡散防止粘着材付シールと透光性材料からなる後付ケースを装着した状態の断面図である。
【図４】図３の俯瞰図である。
【図５】フラッシュ光の拡散防止粘着材付シールを撮影装置全体に貼り付けた実施例の俯瞰図である。
【図６】フラッシュ光の拡散防止粘着材付シールを撮影装置全体に貼り付けた実施例の俯瞰図である。
【図７】フラッシュ光の拡散防止粘着材付シールを撮影装置のフラッシュ部分のみに貼り付けた状態の俯瞰図である。
【考案を実施するための形態】
【０００７】  カメラと透光パネル内に小型フラッシュが付いた撮影装置の小型フラッシュ部分に小型フラッシュの発光部の面積と同面積程度かやや大きい開口を持ち該開口の端部から１０ミリ以下程度の遮光部分を有するフラッシュ光の拡散防止粘着材付シールを貼る。フラッシュ光の拡散防止粘着材付シールはシール材料に遮光材料を用いる方法や遮光したい部分に遮光の為の塗料、印刷などで遮光処理を施して作成する。カメラ部分と小型フラッシュが近接している場合はフラッシュ光の拡散防止粘着材付シールがカメラ部分に干渉するためカメラ部分の開口を設けて作成する。本考案のフラッシュ光の拡散防止粘着材付シールを貼った撮影装置に透光性ゴムや透光性プラスチック等で覆う後付ケースを装着する。
【実施例】
【０００８】  以下、添付図面に基づいて実施例を説明する。図１は構成を示す俯瞰図である。本考案のフラッシュ光の拡散防止粘着材付シール２を撮影装置１に貼り、その後、透光性材料からなる後付ケース３を装着する。１ｂはカメラ部、１ｄは小型フラッシュを示す。撮影装置１の表面には透光パネル１ａが表面材として設けられている。小型フラッシュ１ｄは透光パネル１ａの奥に配置されている。【０００９】カメラ部分と小型フラッシュが近接している為、拡散防止粘着材付シール２にはカメラ部に対応した開口２ａと小型フラッシュに対応した開口２ｂの２箇所の開口を設ける。透光性材料からなる後付ケース３はカメラ部分と小型フラッシュに対応する開口３ａが開けられている。３ｂはカメラ開口部のケース端面を示す。図２は撮影装置１に本考案のフラッシュ光の拡散防止粘着材付シール２を貼り付けた状態の俯瞰図である。【００１０】  図３の断面図に示すように、透光パネル１ａの奥に小型フラッシュ１ｄが配置されるためフラッシュ光が透光パネル内に拡散してしまう。ケース３を装着しなければ、拡散した光はカメラ部１ｂの外周にある遮光円筒部１ｃで遮られるため影響は及ばない。拡散防止粘着材付シール２を貼らずに透光性材料からなる後付ケース３を装着すると透光パネル内に拡散したフラッシュ光がケース３に透過しカメラ開口部のケース端面３ｂを発光させる。フラッシュ光の拡散防止粘着材付シール２はフラッシュ光が透光パネル１ａからケース３に到達することを防ぐ。【００１１】  図４は撮影装置１に本考案のフラッシュ光の粘着材付き拡散防止粘着材付シール２を貼り付け、透光性材料からなる後付ケース３を装着した状態の俯瞰図である。カメラ部とフラッシュ部の開口部３ａはフラッシュ光の拡散防止粘着材付シール２で覆われている。【００１２】  図５は撮影装置１の透光パネル１ａを全体に覆うフラッシュ光の拡散防止大型シール４の実施例である。遮光材料からなる拡散防止大型シール４にはカメラ部に対応した開口４ａと小型フラッシュに対応した開口４ｂの２箇所の開口を設ける。透光性材料からなる後付ケース３をシール貼り付け後装着する。【００１３】  図６は図５で示す全体を遮光材料とするシール４に替えて遮光部分を開口部の周りに限定したフラッシュ光の拡散防止大型シール５の実施例である。シール５の開口部の周りの遮光部５ｃを印刷、塗料等で行い他の部分には絵柄などのデザイン５ｄを施す。透光性材料からなる後付ケース３をシール貼り付け後装着する。【００１４】  図７は撮影装置１の小型フラッシュ部に最小サイズのフラッシュ光の拡散防止粘着材付シール６を貼り付けた状態の実施例である。６ｂはフラッシュ部の開口部を示す。
【符号の説明】
【００１５】  １カメラと透光パネル内に小型フラッシュが付いた撮影装置
２フラッシュ光の拡散防止粘着材付シール
３透光性材料からなる後付ケース
４フラッシュ光の拡散防止大型シール
【図１】
0003163975.tif 000003
【図２】
0003163975.tif 000004
【図３】
0003163975.tif 000005
【図４】
0003163975.tif 000006
【図５】
0003163975.tif 000007
【図６】
0003163975.tif 000008
【図７】
0003163975.tif 000009
【手続補正書】
【提出日】平成22年8月19日(2010.8.19)
【手続補正１】
【補正対象書類名】実用新案登録請求の範囲
【補正対象項目名】全文
【補正方法】変更
【補正の内容】
【実用新案登録請求の範囲】
【請求項１】
カメラとフラッシュを備える小型撮影装置のフラッシュ発光部に対して同等の大きさの開口部を設け開口部端部から１０ミリ以内の部分を遮光材料や遮光塗料、遮光印刷などで遮光した事を特徴とするフラッシュ発光部周辺に貼り付けるフラッシュ光の拡散防止用粘着材付シール。
【請求項２】
カメラとフラッシュを備える小型撮影装置のカメラ部とフラッシュ部が近接している場合、フラッシュ発光部に対する開口部とカメラに対する開口部を１枚のシール上に配置した事を特徴とする請求項１記載のフラッシュ発光部周辺に貼り付けるフラッシュ光の拡散防止用粘着材付シール。
【請求項３】
カメラとフラッシュを備える小型撮影装置のカメラとフラッシュが配置される面全体をシールで覆いカメラ部とフラッシュ部は開口処理を行い、フラッシュ発光部周辺に遮光処理を施した事を特徴とする請求項１記載のフラッシュ発光部周辺に貼り付けるフラッシュ光の拡散防止用粘着材付シール。
【請求項４】
カメラとフラッシュを備える小型撮影装置をカバーする後付ケースのカメラとフラッシュに対する開口部の形状を覆う外形をもつ請求項１記載のフラッシュ発光部周辺に貼り付けるフラッシュ光の拡散防止用粘着材付シール。